【手続補正書】
【提出日】平成16年12月7日(2004.12.7)
【手続補正１】
【補正対象書類名】明細書
【補正対象項目名】発明の名称
【補正方法】変更
【補正の内容】
【発明の名称】情報送信装置および方法、情報受信装置および方法、並びに記録媒体
【手続補正２】
【補正対象書類名】明細書
【補正対象項目名】特許請求の範囲
【補正方法】変更
【補正の内容】
【特許請求の範囲】
【請求項１】
符号化された映像信号を送信する情報送信装置において、
前記映像信号を選択するためのガイド情報を生成する生成手段と、
前記生成手段が生成した前記ガイド情報に、前記映像信号に対応するホームページのURLを付加してエレメンタリストリームを生成する付加手段と、
前記付加手段が生成した前記ガイド情報のエレメンタリストリームと、前記映像信号のエレメンタリストリームを多重化してトランスポートストリームを生成する多重化手段と
を備えることを特徴とする情報送信装置。
【請求項２】
符号化された映像信号を送信する情報送信方法において、
前記映像信号を選択するためのガイド情報を生成する生成ステップと、
前記生成ステップで生成した前記ガイド情報に、前記映像信号に対応するホームページのURLを付加してエレメンタリストリームを生成する付加ステップと、
前記付加ステップで生成した前記ガイド情報のエレメンタリストリームと、前記映像信号のエレメンタリストリームを多重化してトランスポートストリームを生成する多重化ステップと
を含むことを特徴とする情報送信方法。
【請求項３】
符号化された映像信号を送信するためのプログラムであって、
前記映像信号を選択するためのガイド情報を生成する生成ステップと、
前記生成ステップで生成した前記ガイド情報に、前記映像信号に対応するホームページのURLを付加してエレメンタリストリームを生成する付加ステップと、
前記付加ステップで生成した前記ガイド情報のエレメンタリストリームと、前記映像信号のエレメンタリストリームを多重化してトランスポートストリームを生成する多重化ステップと
を含む処理を実行させるプログラムが記録されていることを特徴とする記録媒体。
【請求項４】
受信したトランスポートストリームから、映像信号のエレメンタリストリームと、前記映像信号を選択するためのガイド情報のエレメンタリストリームを分離する分離手段と、
視聴者の操作を受け付ける受付手段と、
前記受付手段により受け付けられた前記視聴者の操作に対応して、前記分離手段により分離された前記ガイド情報から、前記映像信号に対応するホームページのURLを抽出する抽出手段と
を備えることを特徴とする情報受信装置。
【請求項５】
前記抽出手段が抽出した前記URLが示すサーバにインターネ
ットを介して接続し、前記ホームページの情報を取得する取得手段を
さらに備えることを特徴とする請求項４に記載の情報受信装置。
【請求項６】
前記映像信号と前記取得手段が取得した前記ホームページの情報が同時に表示されるように表示を制御する表示制御手段を
さらに備えることを特徴とする請求項５に記載の情報受信装置。
【請求項７】
受信したトランスポートストリームから、映像信号のエレメンタリストリームと、前記映像信号を選択するためのガイド情報のエレメンタリストリームを分離する分離ステップと、
視聴者の操作を受け付ける受付ステップと、
前記受付ステップで受け付けられた前記視聴者の操作に対応して、前記分離ステップで分離された前記ガイド情報から、前記映像信号に対応するホームページのURLを抽出する抽出ステップと
を含むことを特徴とする情報受信方法。
【請求項８】
受信したトランスポートストリームから、映像信号のエレメンタリストリームと、前記映像信号を選択するためのガイド情報のエレメンタリストリームを分離する分離ステップと、
視聴者の操作を受け付ける受付ステップと、
前記受付ステップで受け付けられた前記視聴者の操作に対応して、前記分離ステップで分離された前記ガイド情報から、前記映像信号に対応するホームページのURLを抽出する抽出ステップと
を含む処理を情報受信装置に実行させるプログラムが記録されていることを特徴とする記録媒体。
【手続補正３】
【補正対象書類名】明細書
【補正対象項目名】０００１
【補正方法】変更
【補正の内容】
【０００１】
【発明の属する技術分野】
本発明は、情報送信装置および方法、情報受信装置および方法、並びに記録媒体に関し、特に、電子番組ガイドに番組のホームページのURLを付加して送信し、選択された番組のホームページのURLをWWWブラウザに供給する情報送信装置および方法、情報受信装置および方法、並びに記録媒体に関する。
【手続補正４】
【補正対象書類名】明細書
【補正対象項目名】０００５
【補正方法】変更
【補正の内容】
【０００５】
【課題を解決するための手段】
本発明の情報送信装置は、映像信号を選択するためのガイド情報を生成する生成手段と、生成手段が生成したガイド情報に、映像信号に対応するホームページのURLを付加してエレメンタリストリームを生成する付加手段と
、付加手段が生成したガイド情報のエレメンタリストリームと、映像信号のエレメンタリストリームを多重化してトランスポートストリームを生成する多重化手段とを備えることを特徴とする。
【手続補正５】
【補正対象書類名】明細書
【補正対象項目名】０００６
【補正方法】変更
【補正の内容】
【０００６】
本発明の情報送信方法は、映像信号を選択するためのガイド情報を生成する生成ステップと、生成ステップで生成したガイド情報に、映像信号に対応するホームページのURLを付加してエレメンタリストリームを生成する付加ステップと、付加ステップで生成したガイド情報のエレメンタリストリームと、映像信号のエレメンタリストリームを多重化してトランスポートストリームを生成する多重化ステップとを含むことを特徴とする。
【手続補正６】
【補正対象書類名】明細書
【補正対象項目名】０００７
【補正方法】変更
【補正の内容】
【０００７】
本発明の第１の記録媒体は、映像信号を選択するためのガイド情報を生成する生成ステップと、生成ステップで生成したガイド情報に、映像信号に対応するホームページのURLを付加してエレメンタリストリームを生成する付加ステップと、付加ステップで生成したガイド情報のエレメンタリストリームと、映像信号のエレメンタリストリームを多重化してトランスポートストリームを生成する多重化ステップとを含む処理を情報送信装置に実行させるプログラムが記録されていることを特徴とする。
【手続補正７】
【補正対象書類名】明細書
【補正対象項目名】０００８
【補正方法】変更
【補正の内容】
【０００８】
本発明の情報受信装置は、受信したトランスポートストリームから、映像信号のエレメンタリストリームと、映像信号を選択するためのガイド情報のエレメンタリストリームを分離する分離手段と、視聴者の操作を受け付ける受付手段と、受付手段により受け付けられた視聴者の操作に対応して、分離手段により分離されたガイド情報から、映像信号に対応するホームページのURLを抽出する抽出手段とを備えることを特徴とする。
【手続補正８】
【補正対象書類名】明細書
【補正対象項目名】０００９
【補正方法】変更
【補正の内容】
【０００９】
本発明の情報受信方法は、受信したトランスポートストリームから、映像信号のエレメンタリストリームと、映像信号を選択するためのガイド情報のエレメンタリストリームを分離する分離ステップと、視聴者の操作を受け付ける受付ステップと、受付ステップで受け付けられた視聴者の操作に対応して、分離ステップで分離されたガイド情報から、映像信号に対応するホームページのURLを抽出する抽出ステップとを含むことを特徴とする。
【手続補正９】
【補正対象書類名】明細書
【補正対象項目名】００１０
【補正方法】変更
【補正の内容】
【００１０】
本発明の第２の記録媒体は、受信したトランスポートストリームから、映像信号のエレメンタリストリームと、映像信号を選択するためのガイド情報のエレメンタリストリームを分離する分離ステップと、視聴者の操作を受け付ける受付ステップと、受付ステップで受け付けられた視聴者の操作に対応して、分離ステップで分離されたガイド情報から、映像信号に対応するホームページのURLを抽出する抽出ステップとを含む処理を情報受信装置に実行させるプログラムが記録されていることを特徴とする。
【手続補正１０】
【補正対象書類名】明細書
【補正対象項目名】００１１
【補正方法】変更
【補正の内容】
【００１１】
本発明の情報送信装置および方法、並びに第１の記録媒体のプログラムにおいては、映像信号を選択するためのガイド情報が生成され、生成されたガイド情報に、映像信号に対応するホームページのURLが付加されてエレメンタリストリームが生成される。また、生成されたガイド情報のエレメンタリストリームと、映像信号のエレメンタリストリームが多重化されてトランスポートストリームが生成される。
【手続補正１１】
【補正対象書類名】明細書
【補正対象項目名】００１２
【補正方法】変更
【補正の内容】
【００１２】
本発明の情報送信装置および方法、並びに第２の記録媒体のプログラムにおいては、受信したトランスポートストリームから、映像信号のエレメンタリストリームと、映像信号を選択するためのガイド情報のエレメンタリストリームが分離され、視聴者の操作が受け付けられる。また、受け付けられた視聴者の操作に対応して、分離されたガイド情報から、映像信号に対応するホームページのURLが抽出される。
【手続補正１２】
【補正対象書類名】明細書
【補正対象項目名】００５１
【補正方法】変更
【補正の内容】
【００５１】
【発明の効果】
以上のように、第１の本発明によれば、ガイド情報に、映像信号に対応するホームページのURLが付加されてエレメンタリストリームが生成されるようにし、第２の本発明によれば、視聴者の操作に対応して、ガイド情報から、映像信号に対応するホームページのURLが抽出されるようにしたので、テレビジョン受像機に番組と番組に対応するホームページを同時に表示することが可能となる。